(57)【要約】【課題】外部機器との接続中に、いままでは全く使用していなかったＬＥＤ付きボタンを別の目的で使用できるようにした電子楽器を提供することを目的とする。【解決手段】外部機器と接続して連係した動作を行う電子楽器で、それぞれ、発光手段（ＬＥＤ）が設けられ、単体の電子楽器として使用する際に所定の機能を果たす、複数の操作子を備える。それらの操作子は、外部機器と接続したときには前記外部機器を制御する何らの機能も割り当てられないものである。外部機器と接続したとき、該外部機器から出力される所定の信号のレベル値または状態値を取得し、取得したレベル値または状態値に基づいて、前記複数の操作子のどの操作子の照明手段を点灯させるかを決定し、決定した操作子の照明手段を点灯させる。これにより、外部機器と接続したとき従来は使用していなかった操作子のＬＥＤでメーター表示を行う。【選択図】  図８
2010256386.tif 000002
【特許請求の範囲】
【請求項１】
外部機器と接続して連係した動作を行う電子楽器において、
それぞれ、発光手段が設けられ、単体の電子楽器として使用する際に所定の機能を果たす、複数の操作子であって、前記外部機器と接続したときには前記外部機器を制御する何らの機能も割り当てられない複数の操作子と、
前記外部機器と接続したとき、前記外部機器から出力される所定の信号のレベル値または状態値を取得する取得手段と、
取得したレベル値または状態値に基づいて、前記複数の操作子のどの操作子の発光手段を点灯させるかを決定する決定手段と、
決定した操作子の発光手段を点灯させる点灯手段と
を備えることを特徴とする電子楽器。
【請求項２】
請求項１に記載の電子楽器において、
前記取得手段は、前記外部機器から出力される音響信号の出力レベル値を取得し、
前記決定手段は、前記出力レベル値が大きいほど、点灯する発光手段の数を多くするものであることを特徴とする電子楽器。
【請求項３】
請求項１に記載の電子楽器において、
前記取得手段は、前記外部機器から出力される音響信号の拍タイミングを示す状態値を取得し、
前記決定手段は、前記状態値の拍タイミングでその拍位置に対応する所定の発光手段を点灯することを決定するものであることを特徴とする電子楽器。
【請求項４】
請求項１に記載の電子楽器において、
前記取得手段は、前記外部機器から出力される音響信号の和音のコード名とメジャー／マイナーの別を示す状態値を取得し、
前記決定手段は、前記状態値の和音のコード名とメジャー／マイナーの別に対応する所定の発光手段を点灯することを決定するものであることを特徴とする電子楽器。
【発明の詳細な説明】
【技術分野】
【０００１】
この発明は、コンピュータ（ＰＣ）などの外部機器と接続して連係した動作を行う電子楽器に関する。
【背景技術】
【０００２】
従来より、コンピュータ（ＰＣ）などの外部機器と接続して連係した動作を行う電子楽器が知られている。例えば、非特許文献１には、ＤＡＷ（Digital Audio Workstation）ソフトウェアやシーケンサなどの音楽アプリケーションがインストールされ実行されているＰＣと接続し、連係した動作を行うことにより、より高機能で快適な環境で音楽制作を行うことのできる電子楽器（シンセサイザ）が開示されている。
【０００３】
このような電子楽器は、外部パネル上に、例えばＬＥＤ付きのボタンなどの各種の操作子を備える。それらの操作子の中には、単体の電子楽器として使用する場合にのみ有効な操作子であって、外部機器と接続した場合にはまったく使用することのない操作子があった。
【先行技術文献】
【非特許文献】
【０００４】
【非特許文献１】Music Production Synthesizer Motif XS 取扱説明書、２００７年、ヤマハ株式会社
【発明の概要】
【発明が解決しようとする課題】
【０００５】
上述したように、外部機器と接続して連係した動作を行う電子楽器では、単体の電子楽器として使用する場合にのみ有効に機能し、外部機器との接続中には全く使用しないＬＥＤ付きボタンがあった。
【０００６】
この発明は、外部機器との接続中に、いままでは全く使用していなかったＬＥＤ付きボタンを別の目的で使用できるようにした電子楽器を提供することを目的とする。
【課題を解決するための手段】
【０００７】
上記の目的を達成するため、この発明は、外部機器と接続して連係した動作を行う電子楽器において、それぞれ、発光手段が設けられ、単体の電子楽器として使用する際に所定の機能を果たす、複数の操作子であって、前記外部機器と接続したときには前記外部機器を制御する何らの機能も割り当てられない複数の操作子と、前記外部機器と接続したとき、前記外部機器から出力される所定の信号のレベル値または状態値を取得する取得手段と、取得したレベル値または状態値に基づいて、前記複数の操作子のどの操作子の発光手段を点灯させるかを決定する決定手段と、決定した操作子の発光手段を点灯させる点灯手段とを備えることを特徴とする。
【０００８】
上記発光手段とは、例えばボタンなどに設けられたＬＥＤである。外部機器から出力される音響信号の出力レベル値を取得した場合は、その出力レベル値が大きいほど、点灯する発光手段の数を多くするようにして、メーター表示を行うことができる。上記状態値とは、例えば、外部機器から出力される音響信号の音楽的な拍タイミングを示すデータである。その場合は、その拍タイミングでその拍位置に対応する所定の発光手段を点灯することで、音楽的な拍タイミングを示す表示を行うことができる。上記状態値とは、例えば、外部機器から出力される音響信号の音楽的な和音のコード名とメジャー／マイナーの別を示すデータである。その場合は、その和音のコード名とメジャー／マイナーの別に対応する所定の発光手段を点灯することで、再生している和音のコード名とメジャー／マイナーの別を示す表示を行うことができる。
【０００９】
なお、このような表示を行うか否かをユーザが選択できるようにするとよい。
【発明の効果】
【００１０】
この発明によれば、外部機器との接続中に、いままでは全く使用していなかった例えばＬＥＤ付きボタンを用いて、メーター表示や、拍位置の表示や、和音に関する情報の表示を行うことができる。従って、接続した外部機器を制御する電子楽器側のユーザが手元で該外部機器から出力されるこれらの情報を見ることができ、電子楽器を使用しているユーザにとって便利であり、かつ直感的に各種の情報を把握できる。
【図面の簡単な説明】
【００１１】
【図１】本発明に係る電子楽器のハードウェア構成図
【図２】本実施形態の電子楽器と外部機器とを接続した様子を示す外観図
【図３】本実施形態の電子楽器の外部パネル（一部分）の外観図
【図４】点灯パターン（１０段階）の例を示す図
【図５】点灯パターン（レベル表示・９段階）の例を示す図
【図６】点灯パターン（ビート表示）の例を示す図
【図７】点灯パターン（コード表示）の例を示す図
【図８】本実施形態の電子楽器の動作フローおよび変換テーブルを示す図
【発明を実施するための形態】
【００１２】
以下、図面を用いてこの発明の実施の形態を説明する。
【００１３】
図１は、この発明の一実施形態に係る電子楽器のハードウェア構成を示すブロック図である。ＣＰＵ（中央処理装置）１０１は、ＲＯＭ１０２やＲＡＭ１０３に記憶されている制御プログラムを実行することにより、本電子楽器の全体の動作を制御する。ＲＯＭ（リードオンリメモリ）１０２は、電源投入時のスタートアップルーチンや低レベルＩ／Ｏ処理を司るＢＩＯＳ（Basic Input/Output System）およびＣＰＵ１０１が実行する制御プログラムや各種データを格納する不揮発性メモリである。ＲＡＭ（ランダムアクセスメモリ）１０３は、各種のワーク領域として使用する揮発性メモリである。音源１０４は、ＣＰＵ１０１からの指示に応じて楽音信号を発生する音源である。
【００１４】
操作子１０６は、ユーザがこの電子楽器に各種の指示を与えるために外部パネル上に設けられた各種のスイッチなどであり、複数個のＬＥＤ内蔵ボタンおよび演奏操作子である鍵盤の複数の鍵を含む。操作子１０６の操作は検出回路１０５により検出され、その操作情報がＣＰＵ１０１に送出される。また、ＣＰＵ１０１からの指示に基づき、各ＬＥＤ内蔵ボタンのＬＥＤを点灯／消灯させることができる。表示部１０８は、ＣＰＵ１０１からの指示に基づいて、与えられた各種の情報を表示するディスプレイである。表示回路１０７は、ＣＰＵ１０１からの指示に基づいて表示部１０８の表示を行う駆動回路である。通信インターフェース（Ｉ／Ｆ）１０９や音声Ｉ／Ｆ１１１は、ＰＣなどの各種の外部機器１１０，１１２と接続するためのインターフェースである。バス１１３は、上記各部を相互に接続するバスラインであり、コントロールバス、データバス、およびアドレスバスを総称したものである。
【００１５】
図２は、図１の電子楽器とＰＣとの接続例を示す。２０１が図１の電子楽器、２０２が電子楽器２０１と接続されたＰＣを示す。両者の接続は、ＵＳＢ、ＩＥＥＥ１３９４、Ｅｔｈｅｒｎｅｔ（登録商標）、ＭＩＤＩなどの既知のインターフェースを利用すればよい。ＰＣ２０２には、ＤＡＷソフトウェアがインストールされている。ＤＡＷソフトウェアは、音楽制作の各種の機能（例えば、ハードディスクレコーディング機能、ＭＩＤＩデータやオーディオデータの作成編集機能、ミキシング機能、シーケンサー機能など）を実現するソフトウェアである。例えば、（１）ＰＣ２０２のＤＡＷソフトウェアでソングデータを再生することにより発生したＭＩＤＩデータを電子楽器２０１に送り、電子楽器２０１の音源を使用して楽音を鳴らす、（２）電子楽器２０１の鍵盤で演奏した演奏情報（ＭＩＤＩデータ）をＰＣ２０２のＤＡＷソフトウェアに送り録音する、などを行うことができる。電子楽器２０１とＰＣ２０２の接続中（ＰＣ２０２ではＤＡＷソフトウェアが実行されている）は、電子楽器２０１はＤＡＷコントローラとして機能する。従って、電子楽器２０１の外部パネル上の操作子のうち、所定の幾つかの操作子は、接続されたＰＣ２０２のＤＡＷソフトウェアを制御するために利用される。
【００１６】
図２の２０３は、電子楽器２０１の外部パネル上のＬＥＤ内蔵ボタンおよびフェーダを示す。図３に、その部分の拡大図を示す。自照式ＬＥＤ内蔵ボタン３０１は、（図の上側から１段目、２段目、…と数えるものとすると）１段目に５個、２段目に４個、３段目に５個、４段目に４個が設けられている。その下側に４本のフェーダ３０２が設けられている。自照式ＬＥＤ内蔵ボタン３０１は、本電子楽器を単体で使用する場合はパートの選択などの所定の機能を果たすが、従来技術ではＰＣなどの外部機器と接続したときには全く使用されない操作子であった（当然にそれらの操作子に設けられているＬＥＤも消灯されたままであった）。本実施形態では、ＰＣなどの外部機器と接続した場合、自照式ＬＥＤ内蔵ボタン３０１のＬＥＤを利用してＤＡＷソフトウェア（が動作するＰＣ２０２）から送られてくるデータを表示する。具体的には、ＤＡＷソフトウェアが出力するステレオ出力信号の出力レベル値を、自照式ＬＥＤ内蔵ボタン３０１に表示する。１段目と２段目の９個のＬＥＤでステレオＬ側の出力レベルを、３段目と４段目の９個のＬＥＤでステレオＲ側の出力レベルを、それぞれ表示するものとする。
【００１７】
図４は、ＤＡＷソフトウェアから送られてくる出力信号のＬ側出力レベルの表示例を示す。Ｌ側出力レベルは、図３のボタン３０１のうち１段目と２段目の９個のボタンのＬＥＤを利用して表示する。Ｌ側出力レベルのレベル値がとる値の範囲をＭｉｎ〜Ｍａｘとするとき、そのＭｉｎ〜Ｍａｘの範囲を値が小さい方から第０段階〜第９段階に分けておく。ＤＡＷソフトウェアがリアルタイムに出力するＬ側出力レベルのレベル値が、第０段階のときは図４の０／９の点灯パターン、第１段階のときは図４の１／９の点灯パターン、…、第９段階のときは図４の９／９の点灯パターンで、それぞれ表示する。
【００１８】
なお、図中、白抜きの矩形は消灯、網掛けの矩形は点灯を、それぞれ示す。後述する図５〜図７も同様である。図４の例では、ＬＥＤは１色のみで、点灯（オン）／消灯（オフ）のみが可能なものとする。上記の例では、レベル値が第０段階から第９段階の何れかに含まれるように記載したが、所定のピーク値に至るまでを第０段階から第９段階に分け、該所定のピーク値を越えたときには、全ＬＥＤを点滅表示するようにしてもよい。上記図４ではＬ側出力レベルの表示を説明したが、Ｒ側は図３のボタン３０１のうち３段目と４段目のボタンを利用して同様の表示を行う。
【００１９】
図４において、ＬＥＤが２色の場合（例えば、赤または緑で点灯できる場合）、出力レベル値が、所定のピーク値に至るまでは上述した第０段階から第９段階の表示を緑色で点灯することで行い、該ピーク値を越えたときには、全ＬＥＤを赤色で点灯するようにしてもよい。
【００２０】
上述した図４のようなパターンでＤＡＷから出力される信号の出力レベル値を表示することで、ＤＡＷコントローラとして使用している電子楽器の側で、接続先のＤＡＷの出力レベルをメーター表示として見ることができるので、電子楽器を使用しているユーザにとっては便利であり、かつ直感的に出力レベルを把握できるというメリットがある。
【００２１】
図５は、点灯パターンの別の例を示す。この例では、電子楽器の外部パネルに少なくとも８個のＬＥＤ内蔵ボタンが横に並べられて配置されているとする。出力レベルのレベル値がとる値の範囲Ｍｉｎ〜Ｍａｘを、値が小さい方から第０段階〜第８段階に分けておく。ＤＡＷソフトウェアがリアルタイムに出力する出力レベルのレベル値が、第０段階のときは図５の０／８の点灯パターン、第１段階のときは図５の１／８の点灯パターン、…、第８段階のときは図４の８／８の点灯パターンで、それぞれ表示する。図５のような表示によれば、上記図４の表示と同様のメリットがあることに加え、横に一列に並べられているＬＥＤでメーター表示するので、さらに見易く直感的である。
【００２２】
図６は、ビート表示の例を示す。この例では、電子楽器の外部パネルに少なくとも８個のＬＥＤ内蔵ボタンが横に並べられて配置されているとする。ＤＡＷソフトウェアが再生するソングデータが４分の４拍子の場合、１拍目のタイミングで図６の１／４の点灯パターン、２拍目のタイミングで図６の２／４の点灯パターン、…、４拍目のタイミングで図６の４／４の点灯パターンを、それぞれ表示する。１小節毎にリセットして、１拍目からの表示を繰り返す。ここでは、４分の４拍子の例で説明したが、他の拍子の場合も同様に表示すればよい。図６のような表示により、電子楽器側のユーザは、ＤＡＷの出力信号における拍のタイミングを視覚的に容易にかつ直感的に把握できる。
【００２３】
図７は、コード表示の例を示す。この例では、電子楽器の外部パネルに１３個のＬＥＤ内蔵ボタンが横に並べられたものが２段分（合計で２６個）配置されているとする。ＤＡＷソフトウェアが再生するソングデータの和音のコードおよびメジャー／マイナーの別をこれらのＬＥＤで表示する。一番左端の上段下段の２個のＬＥＤにコード名のＡを割り当て、そこから右方向に順に、コード名Ａ＃、Ｂ、Ｃ、Ｃ＃、…、Ｇ、Ｇ＃を割り当てる。右端の２個のＬＥＤのうち上段のＬＥＤは、上段がメジャーコードを示していることを表すために常に消灯される。右端の２個のＬＥＤのうち下段のＬＥＤは、下段がマイナーコードを示していることを表すために常に点灯される。そして、ＤＡＷソフトウェアから出力される和音のコード名とメジャー／マイナーの別に基づいて、そのコードがメジャーならばそのコード名に対応する位置の上段のＬＥＤを点灯し下段のＬＥＤを消灯し、そのコードがマイナーならばそのコード名に対応する位置の上段と下段の両ＬＥＤを点灯する。例えば、Ｃメジャーであれば、コード名Ｃの位置の上段のＬＥＤを点灯し、その下段のＬＥＤを消灯する。Ｃマイナーであれば、コード名Ｃの位置の上段と下段の両ＬＥＤを点灯する。図７のような表示により、電子楽器側のユーザは、ＤＡＷの出力信号における和音のコード名やメジャー／マイナーの別を視覚的に容易にかつ直感的に把握できる。
【００２４】
図８は、図４で説明した出力レベルを１０段階表示する場合の処理手順と変換テーブルを示す。図８（ａ）のフローにおいて、ステップ８０１で、電子楽器２０１（のＣＰＵ１０１）は、ＰＣ２０２のＤＡＷソフトウェアに対しメーター情報取得要求を発行する。ステップ８０２で、ＤＡＷソフトウェアは、該要求に応じてメーター情報を送信する。このメーター情報とは、ＤＡＷソフトウェアが出力するオーディオ出力信号の出力レベル値（ステレオＬＲ別）である。ステップ８０３で、電子楽器２０１がメーター情報を受信する。ステップ８０４で、該メーター情報に基づいて点灯するＬＥＤの数と位置を決定する。具体的には、受信したメーター情報のレベル値が、図８（ｂ）の変換テーブルの１０段階の範囲のうちのどの範囲に含まれるかを求め、点灯するＬＥＤ数を決定する。そのＬＥＤ数をＮとしたとき、ステップ８０５で、図４のＮ／９の点灯パターンの表示を行う。レベル値が１０ｄＢを越える場合は、全ＬＥＤを点滅させるものとする。以上の処理を、所定時間毎に繰り返し行うことにより、リアルタイムに出力レベル値のメーター表示を行うことができる。
【００２５】
なお、変換テーブルは、予めＲＯＭ１０２またはＲＡＭ１０３内に用意しておくものとする。また、ここでは電子楽器側からメーター情報取得要求を発行し、該要求に応じてＰＣ側からメーター情報を送信するようにしたが、電子楽器側ではＰＣから送信されるイベントを常に受信できる状態にしておき、ＰＣ側では所定のタイミングでメーター情報をイベントとして送信するようにしてもよい。
【００２６】
図８では図４の表示を行う手順を説明したが、図５〜図８の表示も同様にして行うことができる。図６のビート表示の場合は、ＤＡＷで再生しているソングの各拍のタイミングでイベント（何拍目であるかを示す情報を含むものとする）をＰＣから電子楽器に送り、該イベントに応じて点灯するＬＥＤを決定すればよい。また、図７のコード表示の場合は、ＤＡＷで再生しているソングの和音およびメジャー／マイナーの別を含むイベントをＰＣから電子楽器に送り、該イベントに応じて点灯するＬＥＤを決定すればよい。
【００２７】
上記実施形態では、１色あるいは２色のＬＥＤを用いる例を説明したが、さらに多くの色で発光できるＬＥＤを用いた場合は、その色による区別でＤＡＷからの信号の各種の状態を区別できるようにしてもよい。また、ＬＥＤの明るさを何段階かに分けて表示できるものであれば、その明るさによる区別でＤＡＷからの信号の各種の状態を区別できるようにしてもよい。
【符号の説明】
【００２８】
１０１…ＣＰＵ（中央処理装置）、１０２…ＲＯＭ、１０３…ＲＡＭ、１０４…音源、１０５…検出回路、１０６…操作子、１０７…表示回路、１０８…表示部、１０９…通信インターフェース（Ｉ／Ｆ）、１１１…音声Ｉ／Ｆ、１１３…バスライン、２０１…電子楽器、２０２…コンピュータ（ＰＣ）、２０３…ＬＥＤ内蔵ボタンおよびフェーダ。
【図１】
2010256386.tif 000003
【図２】
2010256386.tif 000004
【図３】
2010256386.tif 000005
【図４】
2010256386.tif 000006
【図５】
2010256386.tif 000007
【図６】
2010256386.tif 000008
【図７】
2010256386.tif 000009
【図８】
2010256386.tif 000010